(57)【要約】【課題】高所作業車を用いることなく、構造を簡単にして、監視カメラの保守・点検作業が容易な監視カメラ付き照明装置を提供すること。【解決手段】地上に立設されるポール２と、このポール２の上部に装着される架台１０と、この架台１０に取り付けられる照明器具３と、架台１０の下方側に配設される監視カメラ４とを具備する監視カメラ付き照明装置において、監視カメラ４を、架台１０の床部＊に設けられた開口部１１を介して架台１０の上方及び下方に昇降可能に形成する。【選択図】    図２
2007153534.tif 000002
【特許請求の範囲】
【請求項１】
地上に立設されるポールと、このポールの上部に装着される架台と、この架台に取り付けられる照明器具と、上記架台の下方側に配設される監視カメラとを具備する監視カメラ付き照明装置であって、
上記監視カメラは、上記架台の床部に設けられた開口部を介して架台の床部の上方及び下方に昇降可能に形成されている、ことを特徴とする監視カメラ付き照明装置。
【請求項２】
請求項１記載の監視カメラ付き照明装置において、
上記監視カメラは、上記架台の開口部周辺に立設される支持フレームに設置される昇降手段によって昇降可能に形成されている、ことを特徴とする監視カメラ付き照明装置。
【請求項３】
請求項１又は２記載の監視カメラ付き照明装置において、
上記監視カメラが上昇された状態を維持する固定手段を更に具備する、ことを特徴とする監視カメラ付き照明装置。
【請求項４】
請求項１ないし３のいずれかに記載の監視カメラ付き照明装置において、
上記架台の開口部を開閉可能な転落防止用のカバーを更に具備する、ことを特徴とする監視カメラ付き照明装置。
【請求項５】
請求項４記載の監視カメラ付き照明装置において、
上記カバーは、上記架台の開口部の対向する２辺近傍から開口部の側方へ延在する一対のガイドフレーム間に摺動可能に嵌挿され、上記両ガイドフレームにおける上記開口部側及び開口部の外方側に架設される浮き上がり防止用のバーによって、ガイドフレームからの脱落が防止可能に形成されている、ことを特徴とする監視カメラ付き照明装置。
【発明の詳細な説明】
【技術分野】
【０００１】
この発明は、監視カメラ付き照明装置に関するもので、更に詳細には、地上に立設されるポールの上部に設置される照明器具の下方側に配設される監視カメラの保守・点検を容易に行えるようにした監視カメラ付き照明装置に関するものである。
【背景技術】
【０００２】
例えば、空港やコンテナヤード等に設置される照明装置は、地上に立設されるポールの上部に装着される架台を介して照明器具を取り付けており、防犯を目的として監視カメラが設置されている。この場合、監視カメラは視界を確保するために、照明器具の下方側に設置される。
【０００３】
ところで、この種の照明装置においては、照明器具及び監視カメラの保守・点検が必要となる。照明器具に関しては管理者が、中空状に形成されたポールの内方又は外方に設けられた梯子を昇って架台の床部上で保守・点検作業を行うことができる。しかし、監視カメラは、架台の下方側に設置されており、管理者が昇って歩いていけない場所であるため、監視カメラを保守・点検する場合は、高所作業車が必要となる。
【０００４】
また、従来では、監視カメラをポールに対して昇降可能に構成して、監視カメラの保守・点検を行うようにしたものが知られている（例えば、特許文献１参照）。
【特許文献１】特開２００１−１９９６９１号公報（特許請求の範囲、図１）
【発明の開示】
【発明が解決しようとする課題】
【０００５】
しかしながら、従来の特開２００１−１９９６９１号公報に記載の技術は、ポールに対して監視カメラが設置された架台を昇降可能にする構造であるため、構造が複雑な上、監視カメラの保守・点検作業が大掛かりとなるという問題があった。
【０００６】
この発明は、上記事情に鑑みてなされたもので、高所作業車を用いることなく、構造を簡単にして、監視カメラの保守・点検作業が容易な監視カメラ付き照明装置を提供することを課題とする。
【課題を解決するための手段】
【０００７】
上記課題を解決するために、この発明の監視カメラ付き照明装置は、地上に立設されるポールと、このポールの上部に装着される架台と、この架台に取り付けられる照明器具と、上記架台の下方側に配設される監視カメラとを具備する監視カメラ付き照明装置を前提とし、上記監視カメラは、上記架台の床部に設けられた開口部を介して架台の床部の上方及び下方に昇降可能に形成されている、ことを特徴とする（請求項１）。
【０００８】
このように構成することにより、通常の使用時には監視カメラを架台の下方に配設して防犯に供することができ、監視カメラの保守・点検時には、監視カメラを架台の床部の上方に引き上げて保守・点検作業を行うことができる。
【０００９】
この発明において、上記監視カメラは、上記架台の開口部周辺に立設される支持フレームに設置される昇降手段によって昇降可能に形成される方が好ましい（請求項２）。
【００１０】
このように構成することにより、昇降手段を用いて監視カメラを容易に昇降することができる。
【００１１】
また、上記監視カメラが上昇された状態を維持する固定手段を更に具備する方が好ましい（請求項３）。
【００１２】
このように構成することにより、架台の上方に引き上げられた監視カメラの状態を固定手段によって維持することができる。
【００１３】
また、上記架台の開口部を開閉可能な転落防止用のカバーを更に具備する方が好ましい（請求項４）。この場合、上記カバーは、上記架台の開口部の対向する２辺近傍から開口部の側方へ延在する一対のガイドフレーム間に摺動可能に嵌挿され、上記両ガイドフレームにおける上記開口部側及び開口部の外方側に架設される浮き上がり防止用のバーによって、ガイドフレームからの脱落が防止可能に形成されている方が好ましい（請求項５）。
【００１４】
このように構成することにより、監視カメラを架台の上方へ引き上げた際に、転落防止用のカバーによって開口部を塞ぐことができる。この場合、カバーは、架台の開口部の対向する２辺近傍から開口部の側方へ延在する一対のガイドフレーム間に摺動可能に嵌挿され、両ガイドフレームにおける開口部側及び開口部の外方側に架設される浮き上がり防止用のバーによって、ガイドフレームからの脱落が防止可能に形成されているので、開口部の閉鎖時及び開口部の開放時において、例えば風圧等によって浮き上がることがない（請求項５）。
【発明の効果】
【００１５】
この発明によれば、上記のように構成されているので、以下のような効果が得られる。
【００１６】
（１）請求項１記載の発明によれば、監視カメラの保守・点検時には、監視カメラを架台の上方に引き上げて保守・点検作業を行うことができるので、従来のように高所作業車を用いるものや、監視カメラをその架台毎自体を地上と設置位置に昇降させるものに比べて、監視カメラの保守・点検を容易にすることができる。
【００１７】
（２）請求項２記載の発明によれば、昇降手段を用いて監視カメラを容易に昇降することができるので、上記（１）に加えて、更に監視カメラの昇降を容易にすることができると共に、監視カメラの保守・点検作業を容易に行うことができる。
【００１８】
（３）請求項３記載の発明によれば、架台の上方に引き上げられた監視カメラの状態を固定手段によって維持することができるので、上記（１），（２）に加えて、更に監視カメラの保守・点検作業を安全に行うことができる。
【００１９】
（４）請求項４記載の発明によれば、監視カメラを架台の上方へ引き上げた際に、転落防止用のカバーによって開口部を塞ぐことができるので、上記（１）〜（３）に加えて、更に監視カメラの保守・点検時に作業員が開口部から落下する危険性を防止することができ、保守・点検作業を安全に行うことができる。この場合、カバーは、開口部の閉鎖時及び開口部の開放時において、例えば風圧等によって浮き上がることがないので、開口部を確実に閉塞することができる（請求項５）。
【発明を実施するための最良の形態】
【００２０】
以下に、この発明に係る監視カメラ付き照明装置の最良の実施形態を添付図面に基づいて詳細に説明する。
【００２１】
図１は、この発明に係る監視カメラ付き照明装置の一例を示す概略側面図、図２は、監視カメラ付き照明装置の要部の一部を断面で示す側面図、図３は、図２の平面図である。
【００２２】
上記監視カメラ付き照明装置は、地上１に立設されるポール２と、このポール２の上部に装着される架台１０と、この架台１０に取り付けられる照明器具３と、架台１０の下方側に配設され、架台１０の床部に設けられた開口部１１を介して架台１０の床部の上方及び下方に昇降可能な監視カメラ４とを具備している。
【００２３】
上記ポール２は、上方に向かって縮径テーパを有する中空状のアルミニウム合金製の筒体にて形成されている。この場合、アルミニウム合金製の板材を溶接してなる複数のテーパ状筒体を長手方向に接合し溶接することで、ポール２が形成されている。なお、ポール２の頂部には避雷針５が取り付けられている。
【００２４】
上記ポール２の下部側と架台１０より上方の上部側の一側には、それぞれ人が出入り可能なマンホール（図示せず）が設けられており、これらマンホールには、開閉扉１２が開閉可能に装着されている（図１参照）。また、ポール２の内方には、下部マンホールから上部マンホールに渡って梯子１３が配設されている（図１参照）。
【００２５】
上記架台１０は、図２及び図３に示すように、連結フレーム１４によって連結される架台上部体１５と架台下部体１６とで構成されている。この場合、架台上部体１５と架台下部体１６は、それぞれポール２の外周から放射状に突設される複数例えば８本の桁フレーム１７と、隣接する桁フレーム１７の先端部を連結する略円弧状の取付フレーム１８とを具備している。また、架台下部体１６における桁フレーム１７と取付フレーム１８には複数のグレーチング材よりなるデッキパネル１９が架設されて床部が形成されており、床部の一部に矩形状の開口部１１が形成されている。なお、上記連結フレーム１４、桁フレーム１７、取付フレーム１８及びデッキパネル１９は、それぞれアルミニウム合金製の押出形材にて形成されている。なお、このグレーチング材は押出形材よりのエクスパント゛材で形成されている。
【００２６】
このように構成される架台１０における取付フレーム１８にブラケット６を介して複数例えば１８個の照明器具３が取り付けられている。
【００２７】
また、上記架台下部体１６における開口部１１の周囲には、４本の縦フレーム部材２１と、各縦フレーム部材２１の上部を連結する上部フレーム部材２２とからなる支持フレーム２０が立設されている。この場合、縦フレーム部材２１及び上部フレーム部材２２は、それぞれアングル状のアルミニウム合金製の押出形材にて形成されている。
【００２８】
このように構成される支持フレーム２０の上部フレーム部材２２には、昇降手段例えば巻き上げチェーン２３を有する手動式のウィンチ２４が設置されている。このウィンチ２４によって監視カメラ４が、架台１０に対して昇降可能に支持されている。この場合、監視カメラ４の上端部には、支持フレーム２０の縦フレーム部材２１に沿って移動可能なアルミニウム合金製の取付部材２５が取り付けられており、取付部材２５の両端部に突設されるアルミニウム合金製の取付金具２６に設けられた取付孔２７に繋着される索条例えばチェーン２８が、ウィンチ２４の巻き上げチェーン２３に装着されたフック２９によって吊持されている。
【００２９】
また、監視カメラ４は上方へ引き上げられた際に固定手段３０によって引上げ状態が維持されるようになっている。この場合、取付部材２５の両端部に突設された取付金具２６には、取付孔２７の他に固定用ねじ孔３１が設けられており、支持フレーム２０の縦フレーム部材２１の上部側に設けられた貫通孔３２を貫通して固定用ねじ孔３１に螺合される固定ボルト３３によって固定手段３０が構成されている（図５（ｂ）参照）。なお、固定用ねじ孔３１は、具体的には、取付金具２６に溶接等によって固着されたナットにて形成されている（図５（ｂ）参照）。また、不使用時に固定ボルト３３が紛失するのを防止するために、例えば、固定ボルト３３と支持フレーム２０の縦フレーム部材２１とが紛失防止用チェーン３４で連結されている。なお、固定手段３０は、必ずしもこのような構造である必要はなく、固定ボルト３３に代えてラッチ等の掛け金を用いてもよい。
【００３０】
上記のように構成することにより、ウィンチ２４を作動して巻き上げチェーン２３を巻き上げることによって監視カメラ４を架台１０の下方側から上方側へ引き上げ、この状態で貫通孔３２を貫通する固定手段３０の固定ボルト３３を固定用ねじ孔３１に螺合して、監視カメラ４を引上げ状態に固定することができる。
【００３１】
一方、上記架台下部体１６の床部には、開口部１１を開閉可能な転落防止用のカバー４０が設けられており、上記監視カメラ４を架台１０の上方へ引き上げた際に、カバー４０によって開口部１１が閉じられるように構成されている。
【００３２】
この場合、カバー４０は、開口部１１の対向する２辺近傍から開口部１１の側方へ延在する一対のガイドフレーム４１間に摺動可能に嵌挿され、両ガイドフレーム４１における開口部１１側すなわち閉塞側及び開口部１１の外方側すなわち開放側に両ガイドフレーム４１を連結して架設される浮き上がり防止用のバー４２によって、ガイドフレーム４１からの脱落が防止可能に形成されている。なお、ガイドフレーム４１の端部は端部連結フレーム４３によって連結されている。これらガイドフレーム４１、バー４２及び端部連結フレーム４３は、それぞれアルミニウム合金製のアングル状押出形材にて形成されている。
【００３３】
上記のように構成することにより、カバー４０は開口部１１を閉じた状態又は開口部１１を開放した状態のいずれの場合においても、風圧等によってカバー４０が浮き上がろうとしてもバー４２によって浮上りを防止することができる。
【００３４】
上記のように構成されるこの発明に係る監視カメラ付き照明装置は、通常の使用状態では、ウィンチ２４を作動して監視カメラ４を架台１０の下方に下ろして、監視カメラ４の取付部材２５の両端下面を支持フレーム２０の下端部に設けられた載置ブロック７上に載置した状態で監視カメラ４を設置する（図４参照）。このとき、上記カバー４０と監視カメラ４の取付部材２５の位置関係を変更して上記カバー４０により取付部材２５の上を覆うように開口部１１を閉塞してもよい。
【００３５】
また、監視カメラ４の保守・点検を行うときは、作業員が梯子１３を使って架台１０の床部まで昇り、ウィンチ２４を作動して監視カメラ４を架台１０の上方側へ引上げ、カバー４０を開口部１１側に移動して開口部１１を閉じて、固定手段３０の固定ボルト３３を固定用ねじ孔３１に螺合して、監視カメラ４を引上げ状態に固定する。その後、監視カメラ４の保守・点検を行う。監視カメラ４の保守・点検が終了した後、固定手段３０の固定ボルト３３と固定用ねじ孔３１との螺合を解除した状態で、カバー４０を移動させ開口部１１を開いた後にウィンチ２４を逆方向に作動して監視カメラ４を架台１０の下方位置に移動し、通常の設置状態にする。
【００３６】
なお、上記実施形態では、監視カメラ４の昇降手段が手動式のウィンチ２４である場合について説明したが、ウィンチ２４以外の巻き上げ手段例えば監視カメラ４を吊持するワイヤを巻き取り又は繰り出すリールを用いてもよく、あるいは、自動式のウィンチやリールを用いてもよい。
【００３７】
また、上記実施形態では、開口部１１を開閉する転落防止用のカバー４０がスライド式である場合について説明したが、回動式の転落防止用のカバーを用いることも可能である。
【図面の簡単な説明】
【００３８】
【図１】この発明に係る監視カメラ付き照明装置の一例を示す概略側面図である。
【図２】上記監視カメラ付き照明装置の要部の一部を断面で示す側面図である。
【図３】図２の平面図である。
【図４】この発明における監視カメラの使用時の状態を示す側面図である。
【図５】上記監視カメラの保守・点検時の状態を示す側面図（ａ）及び（ａ）のＩ部拡大断面図（ｂ）である。
【図６】図５の縦断面図である。
【符号の説明】
【００３９】
２  ポール
３  照明器具
４  監視カメラ
１０  架台
１１  開口部
２０  支持フレーム
２４  ウィンチ（昇降手段）
２５  取付部材
３０  固定手段
３１  固定用ねじ孔
３２  貫通孔
３３  固定ボルト
４０  落下防止用カバー
４１  ガイドフレーム
４２  浮き上がり防止用バー
【図１】
2007153534.tif 000003
【図２】
2007153534.tif 000004
【図３】
2007153534.tif 000005
【図４】
2007153534.tif 000006
【図５】
2007153534.tif 000007
【図６】
2007153534.tif 000008